(57)【要約】  【課題】  番組放映時間に対する録画時間の割合を求めることができる番組記録装置を提供する。  【解決手段】  番組記録装置が具備する録画再生装置６は、放送番組を録画する。また、番組記録装置が具備する制御装置３は、録画再生装置６によって録画された放送番組に関する情報であって少なくとも番組放送時間を特定することができる情報を含んでいるものをインターフェース回路４を通じて外部データベース７から取得し、録画再生装置６によって録画された放送番組の録画時間を求め、外部データベース７から取得した情報と前記録画時間に基づいて番組放送時間に対する録画時間の割合である録画率を算出する。【選択図】      図１
2005130235.tif 000002
【特許請求の範囲】
【請求項１】
放送番組を録画する録画手段と、
前記録画手段によって録画された放送番組に関する情報であって少なくとも番組放送時間を特定することができる情報を含んでいるものを外部の放送番組情報データベースから取得する情報取得手段と、
前記録画手段によって録画された放送番組の録画時間を測定する測定手段と、
前記情報取得手段によって取得された情報と前記測定手段によって測定された録画時間に基づいて、番組放送時間に対する録画時間の割合である録画率を算出する算出手段と、
を備えることを特徴とする番組記録装置。
【請求項２】
閾値を設定する設定手段と、
前記算出手段によって算出された録画率が前記設定手段によって設定された閾値未満であるかを判定する判定手段と、
前記判定手段によって録画率が閾値未満であると判定された場合に、録画率が閾値未満であった放送番組の再放送情報を外部の放送番組情報データベースから取得する再放送情報取得手段と、
前記判定手段によって録画率が閾値未満であると判定された場合に、再放送の録画予約をするか否かのユーザーに対する問い合わせを表示装置に表示させるための表示データを生成し、その表示データを出力する表示データ出力手段と、
録画予約を許可する旨の信号を入力した場合に、前記再放送情報取得手段によって取得された再放送情報に基づいて再放送番組の録画予約をする録画予約手段と、
を備える請求項１に記載の番組記録装置。
【請求項３】
前記表示データ出力手段が、前記判定手段によって録画率が閾値未満であると判定された場合に、録画率が閾値未満であった放送番組の情報を表示装置に表示させるための表示データ及び再放送の録画予約をするか否かのユーザーに対する問い合わせを表示装置に表示させるための表示データを生成し、それらの表示データを出力する請求項２に記載の番組記録装置。
【請求項４】
閾値を設定する設定手段と、
前記算出手段によって算出された録画率が前記設定手段によって設定された閾値未満であるかを判定する判定手段と、
前記判定手段によって録画率が閾値未満であると判定された場合に、録画率が閾値未満であった放送番組の再放送情報を外部の放送番組情報データベースから取得する再放送情報取得手段と、
前記判定手段によって録画率が閾値未満であると判定された場合に、前記再放送情報取得手段によって取得された再放送情報に基づいて再放送番組の録画予約をする自動録画予約手段と、
を備える請求項１に記載の番組記録装置。
【請求項５】
前記再放送番組の録画が終了すると、その旨を表示装置に表示させるための表示データ及び録画が終了した再放送番組の再生をするか否か問い合わせを表示装置に表示させるための表示データを生成し、それらの表示データを出力する手段を備える請求項２〜４のいずれかに記載の番組記録装置。
【請求項６】
前記再放送番組の録画が終了すると、その旨を表示装置に表示させるための表示データ、録画率が閾値未満であった放送番組の情報を表示装置に表示させるための表示データ、及び、録画が終了した再放送番組の再生をするか否か問い合わせを表示装置に表示させるための表示データを生成し、それらの表示データを出力する手段を備える請求項２〜４のいずれかに記載の番組記録装置。
【請求項７】
再放送番組の再生中に録画率が閾値未満であった放送番組の録画開始時点に到達すると、その旨を表示装置に表示させるための表示データを生成し、その表示データを出力する手段を備える請求項２〜６のいずれかに記載の番組記録装置。
【請求項８】
前記録画予約手段又は前記自動録画予約手段が、再放送番組の録画時に録画率が閾値未満であった放送番組の録画開始時点以降の部分を除いて録画予約を行う請求項２〜６のいずれかに記載の番組記録装置。
【請求項９】
再放送番組の再生終了時に、録画率が閾値未満であった放送番組の録画開始時点以降の部分を録画していない旨を表示装置に表示させるための表示データを生成し、その表示データを出力する手段を備える請求項８に記載の番組記録装置。
【請求項１０】
前記録画率を表示装置に表示させるための表示データを生成し、その表示データを出力する手段を備える請求項１〜９のいずれかに記載の番組記録装置。
【請求項１１】
前記録画率をグラフ化して表示装置に表示させるための表示データを生成し、その表示データを出力する手段を備える請求項１〜９のいずれかに記載の番組記録装置。
【請求項１２】
前記録画率をグラフ化し且つ録画箇所が番組放送時間枠のどの位置であるかに応じて前記録画率のグラフの位置が可変する表示を表示装置にさせるためのデータを生成し、そのデータを表示装置に出力する手段を備える請求項１〜９に記載の番組記録装置。
【請求項１３】
前記録画率をグラフ化し、録画箇所が番組放送時間枠のどの位置であるかに応じて前記録画率のグラフの位置が可変し、尚かつ再生済みの箇所が録画箇所のどの位置にあるのかを示す表示を表示装置にさせるためのデータを生成し、そのデータを表示装置に出力する手段を備える請求項１〜９に記載の番組記録装置。
【発明の詳細な説明】
【技術分野】
【０００１】
本発明は、放送番組を記録する番組記録装置に関するものである。
【背景技術】
【０００２】
従来より、放送番組情報データベースに格納されている放送番組情報を回線を通じて受信し、その放送番組情報に基づいた録画予約や録画内容の管理を行うことができる番組記録装置がある（例えば、特許文献１参照）。
【０００３】
また、録画再生状態として、録画予定時間を示す帯と、録画済み時間を示す帯と、映像の再生位置を示すポインタとの一体表示を行うことができる記録再生システムもある（例えば、特許文献２参照）。
【特許文献１】特開平１１−３０８５６１号公報
【特許文献２】特許第３１０７０６３号公報
【発明の開示】
【発明が解決しようとする課題】
【０００４】
しかしながら、ユーザーは特許文献１に開示されている番組記録装置から提示される情報のみによって番組放映時間に対する録画時間の割合（以下、録画率ともいう）を把握することができなかった。また、特許文献２に開示されている記録再生システムは、ユーザーの指定した録画予定時間に対する録画済み時間を表示することはできるが、録画率を表示することはできなかった。
【０００５】
このため、特許文献１に開示されている番組記録装置又は特許文献２に開示されている記録再生システムを使用しているユーザが、例えば番組放映時間３０分の番組が１５分しか録画できていなかった場合に、放映された番組の５０％を録画した事を知るためには、ユーザー自身が番組表等を確認して録画率を把握する必要があった。
【０００６】
予め番組表等のデータベースを参照して録画を行う場合、番組の放送開始時刻から放送終了時刻までを予約指定することが可能であり、録画率を１００％に保つことは容易であるが、例えばユーザーが番組視聴中に録画が必要であると判断した場合、録画開始時刻は放送開始時刻より遅れてしまう。この場合、番組放映時間の内どの程度を録画することができたのかを知るためには、上述したように番組表等を参照する必要があった。
【０００７】
また、放映番組の後半から録画を開始したために、番組の大半が録画できず、ユーザーが再放送の録画を行うと判断した場合、ユーザーは所望の番組の再放送を待ち、あらためて録画予約を行う必要があった。この場合、再放送までの期間が長ければ、再放送される日時の調査を継続することが困難であった。
【０００８】
また、再放送を視聴する際、前回の録画した部分を重ねて視聴しないためには、前回の録画した部分を把握しておく必要があるが、再放送を視聴するまで間前回視聴時に前回の録画した部分を正確に記憶しておくことは困難であった。
【０００９】
また、再放送録画時に記録媒体に前回の録画番組が残っている場合、番組の一部は二重に録画され、記録媒体の消費量が増加していた。
【００１０】
本発明は、上記問題点に鑑み、番組放映時間に対する録画時間の割合を求めることができる番組記録装置を提供することを目的とする。
【課題を解決するための手段】
【００１１】
上記目的を達成するために本発明に係る番組記録装置においては、放送番組を録画する録画手段と、前記録画手段によって録画された放送番組に関する情報であって少なくとも番組放送時間を特定することができる情報を含んでいるものを外部の放送番組情報データベースから取得する情報取得手段と、前記録画手段によって録画された放送番組の録画時間を測定する測定手段と、前記情報取得手段によって取得された情報と前記測定手段によって測定された録画時間に基づいて、番組放送時間に対する録画時間の割合である録画率を算出する算出手段と、を備える構成（以下、基本構成ともいう）とする。
【００１２】
このような構成によると、番組放送時間を特定することができる情報を外部の放送番組情報データベースから取得し、その取得した情報を用いて録画率を自動的に算出するので、ユーザー自身が番組表等を確認して録画率を把握する必要がなくなる。この録画率をユーザーに向けて表示したり、或いは再放送を録画するか否かの判断材料に用いることによって、利便性を向上することができる。
【００１３】
また、上記基本構成に加えて、閾値を設定する設定手段と、前記算出手段によって算出された録画率が前記設定手段によって設定された閾値未満であるかを判定する判定手段と、前記判定手段によって録画率が閾値未満であると判定された場合に、録画率が閾値未満であった放送番組の再放送情報を外部の放送番組情報データベースから取得する再放送情報取得手段と、前記判定手段によって録画率が閾値未満であると判定された場合に、再放送の録画予約をするか否かのユーザーに対する問い合わせを表示装置に表示させるための表示データを生成し、その表示データを出力する表示データ出力手段と、録画予約を許可する旨の信号を入力した場合に、前記再放送情報取得手段によって取得された再放送情報に基づいて再放送番組の録画予約をする録画予約手段と、を備えてもよい。
【００１４】
このような構成によると、録画率が閾値未満であるときは、番組記録装置がユーザーに再放送の録画が必要であるか否かの判断を問い合わせるため、ユーザーにとって必要のない再放送番組の録画を防止することができる。これにより、記録媒体の無駄な消費をなくすことができる。
【００１５】
さらに、前記表示データ出力手段が、前記判定手段によって録画率が閾値未満であると判定された場合に、録画率が閾値未満であった放送番組の情報を表示装置に表示させるための表示データ及び再放送の録画予約をするか否かのユーザーに対する問い合わせを表示装置に表示させるための表示データを生成し、それらの表示データを出力するようにしてもよい。
【００１６】
このような構成によると、ユーザーは録画率が閾値未満であった放送番組の情報を知ることができるので、再放送の録画が必要であるか否かの判断を容易にすることが可能となる。
【００１７】
また、上記基本構成に加えて、閾値を設定する設定手段と、前記算出手段によって算出された録画率が前記設定手段によって設定された閾値未満であるかを判定する判定手段と、前記判定手段によって録画率が閾値未満であると判定された場合に、録画率が閾値未満であった放送番組の再放送情報を外部の放送番組情報データベースから取得する再放送情報取得手段と、前記判定手段によって録画率が閾値未満であると判定された場合に、前記再放送情報取得手段によって取得された再放送情報に基づいて再放送番組の録画予約をする自動録画予約手段と、を備えてもよい。
【００１８】
このような構成によると、録画率が閾値未満であるときは、自動的に再放送番組の録画予約が行われるので、ユーザーは再放送の録画が必要であるか否かの判断をする煩わしさから解放される。
【００１９】
また、前記再放送番組の録画が終了すると、その旨を表示装置に表示させるための表示データ及び録画が終了した再放送番組の再生をするか否か問い合わせを表示装置に表示させるための表示データを生成し、それらの表示データを出力する手段を備えてもよい。
【００２０】
このような構成によると、番組記録装置に接続される表示装置の表示によってユーザーが再放送番組の録画完了を知ることができるので、再放送までの期間が長期間であってユーザーが再放送番組のことを忘れていたとしても再放送番組の録画が完了したことをユーザーに認識させることができる。
【００２１】
また、前記再放送番組の録画が終了すると、その旨を表示装置に表示させるための表示データ、録画率が閾値未満であった放送番組の情報を表示装置に表示させるための表示データ、及び、録画が終了した再放送番組の再生をするか否か問い合わせを表示装置に表示させるための表示データを生成し、それらの表示データを出力する手段を備えてもよい。
【００２２】
このような構成によると、ユーザーは録画率が閾値未満であった放送番組の情報を知ることができるので、録画した再放送番組の再生が必要であるか否かの判断を容易にすることが可能となる。
【００２３】
また、再放送番組の再生中に録画率が閾値未満であった放送番組の録画開始時点に到達すると、その旨を表示装置に表示させるための表示データを生成し、その表示データを出力する手段を備えてもよい。
【００２４】
このような構成によると、再放送番組の再生時に再生箇所が前回の録画開始時点に到達するとその旨が表示されるので、ユーザは前回の録画開始時点を正確に把握することができる。これにより、前回の録画した部分を重ねて視聴することを防ぐことが可能となる。
【００２５】
また、前記録画予約手段又は前記自動録画予約手段が、再放送番組の録画時に録画率が閾値未満であった放送番組の録画開始時点以降の部分を除いて録画予約を行ってもよい。これにより、再放送の録画の際に前回の録画開始時点以降の部分が重複して記録されることがなくなるので、記録媒体の消費量を抑えることが可能となる。
【００２６】
また、再放送番組の再生終了時に、録画率が閾値未満であった放送番組の録画開始時点以降の部分を録画していない旨を表示装置に表示させるための表示データを生成し、その表示データを出力する手段を備えてもよい。これにより、ユーザーは再放送の録画が番組の途中で終了した理由を知ることができる。
【００２７】
また、前記録画率を表示装置に表示させるための表示データを生成し、その表示データを出力する手段を備えてもよい。これにより、ユーザーは録画率を把握することができる。
【００２８】
また、前記録画率をグラフ化して表示装置に表示させるための表示データを生成し、その表示データを出力する手段を備えてもよい。これにより、ユーザーは直感的に録画率を把握することができる。
【００２９】
また、前記録画率をグラフ化し且つ録画箇所が番組放送時間枠のどの位置であるかに応じて前記録画率のグラフの位置が可変する表示を表示装置にさせるためのデータを生成し、そのデータを表示装置に出力する手段を備えてもよい。これにより、ユーザーは、録画率に加えて、録画箇所が番組放送時間枠のどの位置しているのかについても直感的に把握することができる。
【００３０】
また、前記録画率をグラフ化し、録画箇所が番組放送時間枠のどの位置であるかに応じて前記録画率のグラフの位置が可変し、尚かつ再生済みの箇所が録画箇所のどの位置にあるのかを示す表示を表示装置にさせるためのデータを生成し、そのデータを表示装置に出力する手段を備えてもよい。これにより、ユーザーは、録画率、録画箇所が番組放送時間枠のどの位置しているのかに加えて、再生済みの箇所が録画箇所のどの位置にあるのかについても直感的に把握することができる。
【発明の効果】
【００３１】
本発明によると、番組放映時間に対する録画時間の割合を求めることができる番組記録装置を実現することができる。この番組放映時間に対する録画時間の割合をユーザーに向けて表示したり、或いは再放送を録画するか否かの判断材料に用いることによって、利便性を向上することができる。
【発明を実施するための最良の形態】
【００３２】
本発明の一実施形態について図面を参照して説明する。本発明に係る番組記録装置の一構成例を図１に示す。
【００３３】
本発明に係る番組記録装置１は、放送番組に関する情報を格納している外部データベース７と、ディスプレイ及びスピーカから成るモニタ８とに接続される。
【００３４】
番組記録装置１は、放送番組を受信するチューナ２と、番組記録装置全体を制御する制御装置３と、外部データベース７との通信を行うインターフェース回路４と、ユーザの指令を入力する入力装置５と、記録媒体に放送番組を録画する機能及び記録媒体に録画されている放送番組を再生する機能を有する録画再生装置６とによって構成されている。なお、上記記録媒体は、番組記録装置１に対して装脱着可能なものであってもよく、番組記録装置１に内蔵されるものであってもよい。
【００３５】
以下、番組記録装置１の動作について複数の実施形態を説明する。まず、第一実施形態について説明する。
【００３６】
例えばユーザーが２００３年８月１６日に８chを視聴中、図２（ａ）に模式的に示すように１９時２０分に入力装置５に対して録画開始操作を行い、１９時５０分に入力装置５に対して録画終了操作を行うものとする。また、図２（ｂ）に２００３年８月１６日１８時から２１時までの８chの放送番組表を示す。
【００３７】
入力装置５はユーザーの操作内容を制御装置３に伝達し、制御装置３はユーザーの操作内容にしたがってチューナー２で受信した８chの放送番組を１９時２０分から１９時５０分の３０分間録画再生装置６に録画させる。録画再生装置６による録画が終了すると、制御装置３はインターフェース回路４を通じて外部データベース７内に格納されている番組情報の中から２００３年８月１６日１９時２０分の８chに属する放送番組の情報を取得する。なお、制御装置３が取得する放送番組の情報には少なくとも番組放送時間を特定することができる情報が含まれている必要がある。ここでは、番組タイトルが「クイズ侃々諤々」であり、番組放送開始時刻が１９時であり、番組放送終了時刻が２０時であるという情報を制御装置３が取得する。
【００３８】
そして、制御装置３は、録画開始時刻と録画終了時刻から録画時間を求め、先程取得した番組放送開始時刻と番組放送終了時刻から番組放送時間を求め、録画時間と番組放送時間とから録画率を算出する。制御装置３は、録画率を算出したのち、その録画率を録画した放送番組の他の情報（番組タイトル、録画日時、チャンネル、録画時間等）と関連付けて録画再生装置６によって記録媒体に記録させるとともに、録画率を含む録画番組の情報をモニタ８に出力する。このときのモニタ表示を図３に示す。このように録画率がモニタ表示されることにより、ユーザーは番組表等を参照しなくても録画率を把握することができる。
【００３９】
なお、図４（ａ）に示すように録画率をグラフ化して表示してもよい。これにより、ユーザーは直感的に録画率を把握することができる。また、図４（ｂ）に示すように録画率をグラフ化し且つ録画箇所が番組放送時間枠のどの位置であるかに応じて録画率のグラフの位置を変えるようにしてもよい。図４（ｂ）中のＡは番組放送時間、Ｂは録画時間、Ｃが放送開始から録画を開始するまでの時間に対応している。また、録画した放送番組を再生した場合図４（ｃ）に示すように録画率をグラフ化し、録画箇所が番組放送時間枠のどの位置であるかに応じて録画率のグラフの位置を変え、尚かつ再生済みの箇所が録画箇所のどの位置にあるかを表示してもよい。また、再生中であれば、現在再生している箇所をポインタ表示してもよい。図４（ｃ）中のＤは再生済みの箇所、Ｅは現在再生している箇所に対応している。図４（ｃ）の表示画面は、例えば録画した放送番組の再生中にユーザー操作により録画した番組の一覧管理表の表示が要求されたときに、再生画面に合成してモニタ表示される。
【００４０】
次に、第二実施形態について図５の動作フローチャートを参照して説明する。まず、ユーザーが入力装置５に対して録画率の閾値設定操作を行う。入力装置５はユーザーの操作内容を制御装置３に伝達し、制御装置３はユーザーの操作内容にしたがって内部メモリ（図１において図示せず）に閾値を記憶する（ステップＳ１０）。
【００４１】
その後、ユーザーが入力装置５に対して録画開始操作と録画終了操作を行うと、入力装置５はユーザーの操作内容を制御装置３に伝達し、制御装置３はユーザーの操作内容にしたがってチューナー２で受信した放送番組を録画再生装置６に録画させる（ステップＳ２０）。
【００４２】
録画再生装置６による録画が終了すると、制御装置３はインターフェース回路４を通じて外部データベース７内に格納されている番組情報の中からステップＳ２０において録画した放送番組の情報を取得する（ステップＳ３０）。なお、制御装置３が取得する放送番組の情報には少なくとも番組放送時間を特定することができる情報が含まれている必要がある。
【００４３】
そして、制御装置３は、録画開始時刻と録画終了時刻から録画時間を求め、先程取得した番組放送開始時刻と番組放送終了時刻から番組放送時間を求め、録画時間と番組放送時間とから録画率を算出する（ステップＳ４０）。
【００４４】
続くステップＳ５０において、制御装置３は、ステップＳ４０で算出した録画率がステップＳ１０で設定した閾値以上であるかを判定する。録画率が閾値以上であれば（ステップＳ５０のＹｅｓ）、一連の動作を終了する。一方、録画率が閾値未満であれば（ステップＳ５０のＮｏ）、制御装置３はインターフェース回路４を通じて外部データベース７内に格納されている番組情報の中からステップＳ２０で録画した放送番組の再放送スケジュールを取得することを試み、再放送スケジュールを取得できたか否かを判定する（ステップＳ６０）。再放送スケジュールを取得できたならば（ステップＳ６０のＹｅｓ）、制御装置３は、ステップＳ２０で録画した放送番組の情報（番組タイトル、録画日時、チャンネル、録画時間、録画率等）をモニタ８に出力する（ステップＳ７０）。
【００４５】
続くステップＳ８０において、制御装置３は、再放送の録画を行うか否かをユーザーに問い合わせる表示をモニタ８に行わせる。その後、制御装置３は、ユーザーが入力装置５に対して再放送の録画予約を要求する旨の操作を行ったか否かを判定する（ステップＳ９０）。ユーザーによって再放送の録画予約を要求する旨の操作がされなければ（ステップＳ９０のＮｏ）、一連の動作を終了する。一方、ユーザーによって再放送の録画予約を要求する旨の操作がされれば（ステップＳ９０のＹｅｓ）、制御装置３は、先程取得した再放送スケジュールの基づいて再放送日時に録画予約を設定し（ステップＳ１００）、その後、録画再生装置６に再放送の録画をさせ（ステップＳ１１０）、再放送の録画が終わると一連の動作を終了する。
【００４６】
第二実施形態の動作によると、録画率が閾値以上であるときは、再放送の録画を行わないことを番組記録装置１が自動的に確定するので、ユーザーは再放送の録画が必要であるか否かの判断をしなくてすむ。また、録画率が閾値未満であるときは、ユーザーは再放送の録画が必要であるか否かの判断をする必要があるが、ステップＳ７０の動作によって録画した放送番組の情報がモニタ表示されるので、再放送の録画が必要である否かの判断を容易にすることが可能となる。したがって、ステップＳ７０を設けることが望ましいが、省略しても構わない。
【００４７】
次に、第三実施形態について図６の動作フローチャートを参照して説明する。なお、図６において図５と同一のステップには同一の符号を付し詳細な説明を省略する。図６のフローチャートは図５のフローチャートからステップＳ７０〜Ｓ９０を取り除いたものである。
【００４８】
第三実施形態では、再放送スケジュールを取得できたならば（ステップＳ６０のＹｅｓ）、制御装置３は、取得した再放送スケジュールの基づいて再放送日時に録画予約を自動的に設定し（ステップＳ１００）、その後、録画再生装置６に再放送の録画をさせ（ステップＳ１１０）、再放送の録画が終わると一連の動作を終了する。
【００４９】
第三実施形態の動作によると、録画率が閾値以上であるときは再放送の録画を行わないことを番組記録装置１が自動的に確定し、録画率が閾値未満であるときは再放送の録画を行うことを番組記録装置１が自動的に確定するので、ユーザーは再放送の録画が必要であるか否かの判断を一切しなくてすむ。
【００５０】
また、上述した図５の動作フローチャート又は図６の動作フローチャートに図７に示すステップ群を追加しても良い。以下、図７に示すステップ群の動作について説明する。
【００５１】
ステップＳ１１０での再放送の録画が終了すると、制御装置３は、再放送の録画が完了したことをモニタ８に表示させる（ステップＳ１２０）。再放送の録画完了を通知することにより、再放送までの期間が長期間であってユーザーが再放送のことを忘れていたとしても再放送の録画が完了したことをユーザーに認識させることができる。
【００５２】
そして、制御装置３は、ステップＳ２０で録画した放送番組の情報（番組タイトル、録画日時、チャンネル、録画時間、録画率等）をモニタ８に出力する（ステップＳ１３０）。この情報を再放送の再生をするか否かの判断材料にすることができるので、ユーザーは再放送の再生をするか否かの判断を容易にすることが可能となる。したがって、ステップＳ１３０を設けることが望ましいが、省略しても構わない。
【００５３】
続くステップＳ１４０において、制御装置３は、ユーザーが入力装置５に対して再放送の再生を要求する旨の操作を行ったか否かを判定する（ステップＳ１４０）。ユーザーによって再放送の再生を要求する旨の操作がされなければ（ステップＳ１４０のＮｏ）、一連の動作を終了する。一方、ユーザーによって再放送の再生を要求する旨の操作がされれば（ステップＳ１４０のＹｅｓ）、制御装置３は、録画再生装置６に再放送の再生をさせ（ステップＳ１５０）、再放送の再生が終わると一連の動作を終了する。
【００５４】
また、上述した図５の動作フローチャート又は図６の動作フローチャートに図８に示すステップ群を追加しても良い。以下、図８に示すステップ群の動作について説明する。なお、図８において図７と同一のステップについては同一の符号を付し詳細な説明を省略する。
【００５５】
ステップＳ１４０においてユーザーによって再放送の再生を要求する旨の操作がされたと判定されれば（ステップＳ１４０のＹｅｓ）、制御装置３は録画再生装置６に再放送の再生を開始させる（ステップＳ１６０）。そして、制御装置３は、再生箇所が前回の録画開始時点に到達したか否かを判定する（ステップＳ１７０）。
【００５６】
なお、ステップＳ２０の録画における録画開始時刻とステップＳ３０で取得した放送開始時刻とから前回の録画開始時点がどこであるかを求めることができる。例えば録画率の閾値が８０％に設定されており、ユーザーが２００３年８月１６日に８chを視聴中、図２（ａ）に模式的に示すように１９時２０分に入力装置５に対して録画開始操作を行い、１９時５０分に入力装置５に対して録画終了操作を行うものとする。また、図２（ｂ）に２００３年８月１６日１８時から２１時までの８chの放送番組表を示す。この場合、録画開始時刻１９時２０分と放送開始時刻１９時とから前回の録画開始時点は放送開始から２０分経過した時点であることが求まる。
【００５７】
再生箇所が前回の録画開始時点に到達すれば（ステップＳ１７０のＹｅｓ）、制御装置３は、前回の録画開始時点に到達済みである旨の通知をモニタ８に表示させ（ステップＳ１８０）、再生が終了するかユーザーからの再生停止要求に応じて再生を停止すると一連の動作を終了する。
【００５８】
図８のステップ群を追加すると、再放送の再生時に再生箇所が前回の録画開始時点に到達するとその旨の通知がモニタ表示されるので、ユーザは前回の録画開始時点を正確に把握することができる。これにより、前回の録画した部分を重ねて視聴することを防ぐことが可能となる。なお、前回の録画開始時点以降の部分も再放送の録画の際に記録されているので、ステップＳ１８０の通知があってもユーザーが再生を停止しなければ前回の録画開始時点以降の部分も引き続き視聴することができる。
【００５９】
また、上述した図５の動作フローチャート又は図６の動作フローチャートにおいて、ステップＳ１００を前回の録画開始時点以降の部分を除いて録画予約設定するステップにしてよい。これにより、再放送の録画の際に前回の録画開始時点以降の部分が重複して記録されることがなくなる。
【００６０】
例えば録画率の閾値が８０％に設定されており、ユーザーが２００３年８月１６日に８chを視聴中、図２（ａ）に模式的に示すように１９時２０分に入力装置５に対して録画開始操作を行い、１９時５０分に入力装置５に対して録画終了操作を行うものとする。また、図２（ｂ）に２００３年８月１６日１８時から２１時までの８chの放送番組表を示す。この場合、録画開始時刻１９時２０分と放送開始時刻１９時とから前回の録画開始時点は放送開始から２０分経過した時点であることが求まる。したがって、放送開始から２０分経過した時点以降の部分を除いて録画予約設定する。すなわち、放送開始から２０分間のみの録画予約設定とする。
【００６１】
さらに、ステップＳ１００を前回の録画開始時点以降の部分を除いて録画予約設定するステップにした場合、図５の動作フローチャート又は図６の動作フローチャートに図９に示すステップ群を追加しても良い。なお、図９において図７と同一の部分には同一の符号を付し詳細な説明を省略する。ステップＳ１５０での再放送の再生が終了すると、制御装置３は、前回の録画開始時点以降の部分を録画していない旨の通知をモニタ８に表示させ（ステップＳ１９０）、一連の動作を終了する。
【００６２】
図９に示す動作フローにより、ユーザーは再放送の録画が番組の途中で終了した理由を知ることが可能となる。
【００６３】
なお、第二実施形態又は第三実施形態において、ステップＳ７０のとき、ステップＳ１３０のときは図３、図４（ａ）、或いは図４（ｂ）に示すモニタ表示を行い、ユーザー操作により録画した番組の一覧管理表の表示が要求されたときは、図３、図４（ａ）、図４（ｂ）、或いは図４（ｃ）に示すモニタ表示を行うようにするとよい。
【００６４】
また、第二実施形態又は第三実施形態において、録画された再放送番組についてはステップＳ５０の判定は行わないようにするとよい。
【図面の簡単な説明】
【００６５】
【図１】は、本発明に係る番組記録装置の一構成例を示す図である。
【図２】は、録画時間と放送番組表を模式的に示す図である。
【図３】は、モニタ表示の一例を示す図である。
【図４】は、モニタ表示の他の例を示す図である。
【図５】は、本発明に係る番組記録装置の第二実施形態における動作フローチャートである。
【図６】は、本発明に係る番組記録装置の第三実施形態における動作フローチャートである。
【図７】は、図５又は図６の動作フローチャートに追加するステップ群の一例を示す図である。
【図８】は、図５又は図６の動作フローチャートに追加するステップ群の他の例を示す図である。
【図９】は、図５又は図６の動作フローチャートに追加するステップ群の更に他の例を示す図である。
【符号の説明】
【００６６】
１  番組記録装置
２  チューナ
３  制御装置
４  インターフェース回路
５  入力装置
６  録画再生装置
７  外部データベース
８  モニタ
【図１】
2005130235.tif 000003
【図２】
2005130235.tif 000004
【図３】
2005130235.tif 000005
【図４】
2005130235.tif 000006
【図５】
2005130235.tif 000007
【図６】
2005130235.tif 000008
【図７】
2005130235.tif 000009
【図８】
2005130235.tif 000010
【図９】
2005130235.tif 000011